(57)【特許請求の範囲】
【請求項１】
無線により通信を行うためのアドレスを有する携帯端末から送信される決済に関する情報を無線通信により決済装置で受信して決済処理を行う決済システムにおいて、
前記決済装置は、前記携帯端末と通信を行うアンテナと、このアンテナを介して前記携帯端末から前記アドレスを取得するアドレス取得手段と、このアドレス取得手段により前記アドレスを取得するとその取得したアドレスが既に取得したアドレスであるか否かを判断する判断手段と、この判断手段により新たなアドレスを取得したと判断するとそのアドレスを順次記憶するアドレス記憶手段と、このアドレス記憶手段により記憶したアドレス毎にそのアドレスで特定される携帯端末固有の識別情報を生成する識別情報生成手段と、この識別情報生成手段によって生成された識別情報と前記アドレス記憶手段により記憶されたアドレスとを対応付けて記憶する記憶手段と、前記識別情報生成手段により生成された識別情報と対応付けられ前記アドレス記憶手段により記憶されているアドレス毎にそのアドレスで特定される携帯端末に前記識別情報を送信する送信手段と、前記識別情報の入力を受け付ける入力手段と、この入力手段により識別情報が入力されるとその識別情報に対応付けられたアドレスにより特定される携帯端末から決済に関する情報を受信し決済処理を行う決済処理手段とを設け、
前記携帯端末は、前記送信手段により送信された前記識別情報を受信する受信手段と、この受信手段により受信した前記識別情報を表示する表示手段とを設けたことを特徴とする決済システム。
【請求項２】
決済装置は、さらに、識別情報を生成した時刻から前記識別情報が有効に働く有効期間を設定する有効期間設定手段と、この有効期間設定手段により設定された有効期間を経過した前記識別情報に対応付けられた携帯端末のアドレスを記憶手段から消去する識別情報管理手段とを設けたことを特徴とする請求項１記載の決済システム。
【発明の詳細な説明】
【０００１】
【発明の属する技術分野】
本発明は、商取引を行う店舗内などで携帯端末から無線送信された決済に関する情報を決済装置で受信して決済処理を行う決済システムに関する。
【０００２】
【従来の技術】
近年、携帯電話などの携帯端末の爆発的な普及に伴い、これら携帯端末を使用した情報の入手や銀行業務手続などが手軽にできるようになり携帯端末を利用する利便性が高まってきている。そして、さらなる携帯端末を使用することによる日常生活の利便性の向上が日々追求されている。一方で、このような携帯端末に使用する無線通信技術は、例えばBluetoothのように低価格、省電力、小型化を目的とした消費者向けの無線機器が続々と市場に現れつつある。
【０００３】
このような背景から、すでに、海外では消費者が自動販売機で商品を購入する際に携帯電話を使用して決済を行う決済システムも実用化されている。また、今後は国内においても、専門店、量販店あるいはコンビニエンスストアなどで携帯端末を使用した決済システムが普及すると予想されている。
【０００４】
この従来の無線技術を使用した決済システムを、例えば、携帯端末を携帯電話、決済装置を電子式キャッシュレジスタとし、店舗内で決済を行う場合で説明する。店舗内には決済を行うための電子式キャッシュレジスタがあり、決済可能な携帯電話を所持する複数の顧客が店舗内で買い物をしている。このとき、電子式キャッシュレジスタと複数の携帯電話とは無線により通信可能な状態となっている。そして、顧客の中の１人が商品を購入するために携帯電話を使用して決済を行おうとすると、オペレータは電子式キャッシュレジスタと通信可能な携帯電話の中から決済を行おうとする顧客の所持する携帯電話を特定するために顧客に携帯電話番号を尋ねる。オペレータは電子式キャッシュレジスタを操作してこの尋ねた携帯電話番号により決済を行う携帯電話を特定し、その携帯電話から決済に関する情報を受け取って決済処理を行うことになる。
【０００５】
このように、従来の無線技術を使用して決済装置と携帯端末とで決済システムを構築すると、決済装置で決済を行う携帯端末を特定するために、その携帯端末に予め設定されたユニークな番号をオペレータが顧客に尋ねる必要があった。
【０００６】
【発明が解決しようとする課題】
しかし、決済を行うときは決済装置の近くに顧客1人だけとは限らず、複数人の顧客が並んでいる場合や近くに他の買い物中の顧客がいる場合もある。このような状況で携帯端末に予め設定されたユニークな番号を顧客が言葉にしてオペレータに伝えると、オペレータ及び他の顧客に携帯端末に予め設定されたユニークな番号がわかってしまう。これは、顧客のプライバシーが漏れることにつながる。特に、携帯電話を使用して決済を行うときに携帯電話番号により決済を行う携帯電話を特定する場合だと、顧客の携帯電話番号をオペレータや他の顧客に知られてしまうという問題があった。
【０００７】
本発明は上記問題に鑑みてなされたものであって、その目的は、顧客の所持する携帯端末に関するプライバシーを保護して携帯端末と決済装置とで決済を行う決済システムを提供することにある。
【０００８】
【課題を解決するための手段】
請求項１に記載された発明は、無線により通信を行うためのアドレスを有する携帯端末から送信される決済に関する情報を無線通信により決済装置で受信して決済処理を行う決済システムにおいて、決済装置は、携帯端末と通信を行うアンテナと、このアンテナを介して携帯端末からアドレスを取得するアドレス取得手段と、このアドレス取得手段によりアドレスを取得するとその取得したアドレスが既に取得したアドレスであるか否かを判断する判断手段と、この判断手段により新たなアドレスを取得したと判断するとそのアドレスを順次記憶するアドレス記憶手段と、このアドレス記憶手段により記憶したアドレス毎にそのアドレスで特定される携帯端末固有の識別情報を生成する識別情報生成手段と、この識別情報生成手段によって生成された識別情報とアドレス記憶手段により記憶されたアドレスとを対応付けて記憶する記憶手段と、識別情報生成手段により生成された識別情報と対応付けられアドレス記憶手段により記憶されているアドレス毎にそのアドレスで特定される携帯端末に識別情報を送信する送信手段と、識別情報の入力を受け付ける入力手段と、この入力手段により識別情報が入力されるとその識別情報に対応付けられたアドレスにより特定される携帯端末から決済に関する情報を受信し決済処理を行う決済処理手段とを設け、携帯端末は、送信手段により送信された識別情報を受信する受信手段と、この受信手段により受信した識別情報を表示する表示手段とを設けたものである。
【０００９】
請求項２記載の発明は請求項１記載の決済システムにおいて決済装置は、さらに、識別情報を生成した時刻から識別情報が有効に働く有効期間を設定する有効期間設定手段と、この有効期間設定手段により設定された有効期間を経過した識別情報に対応付けられた携帯端末のアドレスを消去する識別情報管理手段とを設けたものである。
【００１０】
【発明の実施の形態】
以下、本発明の一実施の形態について図面を参照して説明する。
なお、この実施の形態は携帯端末として携帯電話を、決済装置として電子式キャッシュレジスタを本発明に適用した場合である。
【００１１】
図１は店舗内における決済システム全体の構成を示す図である。１は店舗の外壁を示し、２は店舗１へ顧客が出入りする出入り口、３ａ〜３ｆは商品等を陳列する棚で、４はオペレータが各種業務を行う業務スペースである。
【００１２】
また、５ａ〜５ｅは、この店舗１内にいるそれぞれの顧客の所持する携帯電話を示し、１０は前記業務スペース４内に設置された電子式キャッシュレジスタである。
【００１３】
図２は前記電子式キャッシュレジスタ１０の外観を示す図である。１１はオペレータへの各種表示を行うための表示装置、１２は各種キーが設けられたキーボード、１３は商品に貼り付けられたバーコードから商品情報を読み取るためのスキャナ、１４はレシートを発行するレシート発行口、１５は現金を取り出し又は収納するためのドロア、１６はBluetoothにより通信を行うためのアンテナ、１７は顧客に入力してもらう数値キーを備えたキーパッドである。
【００１４】
また、前記店舗１内は、電子式キャッシュレジスタ１０の前記アンテナ１６を介してBluetoothにより通信できる範囲となっていて、通信可能な携帯電話を所持した顧客が出入り口２から店舗１内に入ると、電子式キャッシュレジスタ１０とその携帯電話とが接続されるようになっている。
【００１５】
図３は前記電子式キャッシュレジスタ１０の主要な構成を示すブロック図である。２１は電子式キャッシュレジスタの制御部本体としてのＣＰＵ（中央処理装置）、２２は各種プログラムが格納されたＲＯＭ（リード・オンリー・メモリ）、２３は電子式キャッシュレジスタ１０が通信可能となった携帯電話を識別する識別情報となる取引ＩＤのエリアやワークエリアなどのエリアを形成したＲＡＭ（ランダム・アクセス・メモリ）、２４は前記キーパッド１７からの入力を制御するキーパッド制御部、２５はＣＰＵ２１に実行させるプログラムが格納されたＨＤＤ（ハード・ディスク・ドライブ）２６を制御するＨＤＤ制御部、２７は表示部１１への表示を制御する表示制御部、２８はキーボード１２からの入力を制御するキーボード制御部、２９はスキャナ１３を制御するスキャナ制御部、３０はレシートを発行するための印字を行う印字装置３１を制御する印字制御部、３２はドロア１５を開放するためのドロア開放機構、３３はアンテナ１６を介してBluetoothにより通信を行うための通信モジュールである。
【００１６】
また、ＣＰＵ２１と、ＲＯＭ２２、ＲＡＭ２３、キーパッド制御部２４、ＨＤＤ制御部２５、表示制御部２７、キーボード制御部２８、スキャナ制御部２９、印字制御部３０、ドロア開放機構３２、通信モジュール３３とはバスライン３４を介して接続されている。
【００１７】
前記ＲＯＭ２２には、Bluetoothにより通信を行うための電子式キャッシュレジスタ１０の機器アドレスが格納されている。
【００１８】
前記ＲＡＭ２３には、取引ＩＤのエリアが「００１」から「９９９」まで形成され、このエリア毎に電子式キャッシュレジスタ１０と通信可能となった携帯電話の携帯電話機器アドレス、携帯電話毎に生成されるパスワード、そのパスワードを生成した時刻が記憶されるメモリエリアが形成されている。
【００１９】
また、前記ＲＡＭ２３には取引ＩＤに対応付けられて記憶された携帯電話機器アドレスやパスワードが有効に働くまでの有効期間を設定するメモリエリアが設けられ、例えば、１２０分のように設定される（有効期間設定手段）。また、取引ＩＤを一時格納するためのワークエリア「ｎ」、パスワードを生成するときのワークエリア「ｍ」などが設けられている。
【００２０】
図４は前記携帯電話５ａの主要な構成を示すブロック図である。４１は制御部本体としてのＣＰＵ、４２は各種プログラムやBluetoothにより通信を行うための携帯電話機器アドレス４２ａ、デビッドカードにより決済を行うために必要なカード情報４２ｂなどが格納されたＲＯＭ、４３はワークエリアなどのエリアを形成したＲＡＭ、４４は表示部４５での表示を行うための表示制御部、４６は複数の入力キーで構成された入力部４７からの入力を制御する入力制御部、４８はアンテナ４９を介してBluetoothにより通信を行うための通信モジュールである。
【００２１】
また、ＣＰＵ４１と、ＲＯＭ４２、ＲＡＭ４３、表示制御部４４、入力制御部４６、通信モジュール４８がバスライン５０を介して接続されている。
【００２２】
図５は電子式キャッシュレジスタ１０が携帯電話と通信可能となったときにＣＰＵ２１が行う制御の流れを示す図である。
【００２３】
ＣＰＵ２１は各種信号を監視していて、ステップＳＴ１にて、携帯電話と通信可能になるとその携帯電話と接続されたと判断する。そして、ステップＳＴ２にて、携帯電話の携帯電話機器アドレスをＲＡＭ２３のワークエリアに取得し、取引ＩＤのメモリエリアに記憶されている携帯電話機器アドレスと一致するものはないかを判断する。
【００２４】
このステップＳＴ２の判断にて、取得した携帯電話機器アドレスと一致する携帯電話機器アドレスが取引ＩＤのメモリエリアにないと判断すると、ステップＳＴ３にて、ＲＡＭ２３のワークエリア「ｎ」に「００１」を記憶する。そして、ステップＳＴ４にて、この取引ＩＤ「００１」に携帯電話機器アドレスやパスワードなどの情報が記憶されているかの判断を行う。
【００２５】
このステップＳＴ４の判断にて、携帯電話機器アドレスなどやパスワードなどの情報が記憶されていると判断すると、ステップＳＴ５にて、ワークエリア「ｎ」の「００１」に「１」を加算してワークエリア「ｎ」を「００２」にする。そして、ステップＳＴ４に戻り今度は取引ＩＤ「００２」に携帯電話機器アドレスやパスワードなどの情報が記憶されているかの判断を行う。このステップＳＴ４,ＳＴ５を取引ＩＤに携帯電話機器アドレスやパスワードなどの情報が記憶されていない取引ＩＤになるまで行う（生成手段）。
【００２６】
ステップＳＴ４にて、取引ＩＤに携帯電話機器アドレスやパスワードなどの情報が記憶されていないと判断すると、ステップＳＴ６にて、その取引ＩＤのメモリエリアに取得した携帯電話機器アドレスを記憶する。
【００２７】
続いて、ステップＳＴ７にて、ＣＰＵ２１はワークエリア「ｍ」にランダムに４桁の数字を生成すると共にそのパスワードを生成した時間を記憶して、ステップＳＴ８にて、携帯電話機器アドレスを記憶した取引ＩＤのメモリエリアに４桁のパスワード及びそのパスワードを生成した時間を記憶する（記憶手段）。
【００２８】
そして、ステップＳＴ９にて、このように設定された取引ＩＤ及びパスワードを取引ＩＤに記憶されている携帯電話機器アドレスで特定される携帯電話に送信してこの処理を終了する（送信手段）。
【００２９】
図６は携帯電話が電子式キャッシュレジスタ１０から送信される取引ＩＤ及びパスワードを受信したときにＣＰＵ４１が行う処理の流れを示す図である。
【００３０】
ＣＰＵ４１はステップＳＴ１１にて、電子式キャッシュレジスタ１０と接続中かを判断し、この判断で電子式キャッシュレジスタ１０と接続中と判断すると、ステップＳＴ１２にて、データを受信したかを判断する。
【００３１】
このステップＳＴ１２の判断にて、データを受信したと判断すると、ステップＳＴ１３にて、受信したデータが決済処理に関するデータであるかを判断する。
【００３２】
このステップＳＴ１３にて、決済処理に関するデータであると判断すると、ステップＳＴ１４にて、ＲＯＭに格納してあるカード情報を電子式キャッシュレジスタ１０に送信する。そして、ステップＳＴ１１に戻る。
【００３３】
また、ステップＳＴ１３にて決済に関するデータでないと判断すると、ステップＳＴ１５にて、受信したデータが取引ＩＤ及びパスワードを示すデータかを判断する（受信手段）。この判断で取引ＩＤ及びパスワードを示すデータと判断すると、ステップＳＴ１６にて、表示部４５に取引ＩＤ及びパスワードの表示を行い（表示手段）、ステップＳＴ１１に戻る。
【００３４】
また、ステップＳＴ１５にて、受信したデータが取引ＩＤ及びパスワードを示すデータでないと判断すると、ステップＳＴ１７にて、受信したデータに基づいて、例えばエラー処理などの処理を行い、ステップＳＴ１１に戻る。
【００３５】
また、ステップＳＴ１１にて、電子式キャッシュレジスタ１と接続していないと判断すると、このデータを受信する処理は終了する。
【００３６】
図７は電子式キャッシュレジスタ１０が携帯電話５ａ,５ｂ,５ｃ,５ｄ,５ｅとこの順番で接続する手順を示し、図８はそのときにＲＡＭ２３の取引ＩＤのメモリエリアに記憶される携帯電話機器アドレス、パスワード、そのパスワードの生成時刻を示す図である。
【００３７】
図７において、初期状態から立ち上げられた電子式キャッシュレジスタ１０はBluetoothのマスターとして動作しており、スレーブとなる携帯電話を絶えず検索している。
【００３８】
そして、電子式キャッシュレジスタ１０の通信範囲内に携帯電話５ａを検索すると、ステップＳＴ２１にて、電子式キャッシュレジスタ１０がマスターとなり携帯電話５ａをスレーブとして接続処理をする。
【００３９】
このステップＳＴ２１の接続処理がされると、ステップＳＴ２２にて、ＣＰＵ２１は携帯電話５ａの携帯電話機器アドレス、生成された４桁のパスワード「１９２１」、パスワード「１９２１」の生成時刻をＲＡＭ２３の取引ＩＤ「００１」に記憶して、携帯電話５ａに取引ＩＤ「００１」及びパスワード「１９２１」を送信する。
【００４０】
次に、携帯電話５ｂが電子式キャッシュレジスタ１０の通信範囲に入ると、ステップＳＴ２３にて、接続処理がされ、ステップＳＴ２４にて、ＣＰＵ２１は取引ＩＤ「００２」に携帯電話５ｂの携帯電話機器アドレス、パスワード「２３４２」、及びその生成時刻を記憶して、携帯電話５ｂに取引ＩＤ「００２」及びパスワード「２３４２」を送信する。
【００４１】
携帯電話５ｃ〜５ｅもこのように電子式キャッシュレジスタ１０の通信範囲に入るとステップＳＴ２５,２７,２９にて、接続処理をし、携帯電話５ｃはステップＳＴ２６にて、取引ＩＤ「００３」にその携帯電話機器アドレス、パスワード「６６７３」及びその生成時刻、携帯電話５ｄはステップＳＴ２８にて、取引ＩＤ「００４」に携帯電話機器アドレス、パスワード「５６７４」及びその生成時刻、携帯電話５ｅはステップＳＴ３０にて、取引ＩＤ「００５」に携帯電話機器アドレス、パスワード「８９１５」及びその生成時刻をＲＡＭ２３の取引ＩＤのメモリエリアにＣＰＵ２１は記憶して、携帯電話５ｃ〜５ｅに取引ＩＤ及びパスワードを送信する。
【００４２】
図８はこのようにＲＡＭ２３に記憶された取引ＩＤのメモリエリアを示す図である。「００１」から「９９９」まで設定された取引ＩＤの「００１」から「００５」に携帯電話５ａ〜５ｅの携帯電話機器アドレス、パスワード、そのパスワードの生成時刻が記憶され、取引ＩＤ「００６」〜「９９９」には携帯電話との接続がされていないので携帯電話機器アドレス、パスワード、そのパスワードの生成時刻などの情報が記憶されていない。
【００４３】
図９は、電子式キャッシュレジスタ１０と携帯電話とによる決済を行うときの処理の流れを示す図である。
【００４４】
電子式キャッシュレジスタ１０のＣＰＵ２１は、ステップＳＴ４１にて、キーボード１２やスキャナ１３により読み取られた商品情報をＲＡＭ２３に登録する。続いて、ステップＳＴ４２にて、キーパッド１７から取引ＩＤの入力を受け付ける（入力手段）。
【００４５】
そして、ステップＳＴ４３にて、受け付けた取引ＩＤに対応するＲＡＭ２３の取引ＩＤのメモリエリアから携帯電話機器アドレス及びパスワードを呼出す。
【００４６】
次に、ステップＳＴ４４にて、キーパッド１７からパスワードの入力を受け付ける。このパスワードの入力を受け付けると、ステップＳＴ４５にて、ＲＡＭ２３のメモリエリアから読み出したパスワードとキーパッド１７から入力を受け付けたパスワードと一致しているかを判断する。
【００４７】
このステップＳＴ４５の判断で、パスワードが一致したと判断すると、ステップＳＴ４６にて、呼出した携帯電話機器アドレスで決済を行う携帯電話を特定し、その携帯電話から決済を行うためのカード情報を取得し、ＲＡＭ２３に登録してある商品の決済を行ってよいかをカード情報から取得した金融機関のホストコンピュータに問い合わせる（決済処理手段）。
【００４８】
続いて、ステップＳＴ４７にて、金融機関のホストコンピュータから決済してよいとの返信を受信すると、ステップＳＴ４８にて、決済を終了し、印字制御部３０を制御してその決済内容をレシートに印字してレシートの発行を行い、金融機関のホストコンピュータから決済できないとの返信を受信すると、ステップＳＴ４９にて、決済できない旨を表示部１１に表示する。
【００４９】
また、ステップＳＴ４５の判断でパスワードが一致しないときは、ステップＳＴ５０にて、例えば、エラーを表示部１１に表示し、再びキーパッド１７によるパスワードの入力を受け付けるなどし、それでもパスワードが一致しないときは、表示部１１に決済ができない旨の表示する。
【００５０】
ステップＳＴ４９,５０において決済できない旨の表示を行った後、現金による決済を行うことを受け付けたときは、ステップＳＴ５１にて、ドロワ開放機構を制御してドロアを開放して現金による決済を行って決済処理を終了する。
【００５１】
図１０は電子式キャッシュレジスタ１０に電源が投入されたときから電源が切られるまで予め任意に設定された時間毎にＣＰＵ２１が行う識別情報管理手段として取引ＩＤに記憶された情報を消去する制御の流れを示す図である。
【００５２】
ＣＰＵ２１はステップＳＴ６１にて、ＲＡＭ２３に設定された取引ＩＤを消去するまでの設定時間、１２０分を呼出す。続いて、ステップＳＴ６２にて、ワークエリア「ｈ」に「００１」をセットする。
【００５３】
そして、ステップＳＴ６３にて、取引ＩＤ「００１」に記憶されているパスワード生成時刻を呼出し、ステップＳＴ６４にて、呼出したパスワード生成時刻から１２０分が経過しているかを判断する。
【００５４】
このステップＳＴ６４にて、１２０分が経過していると判断すると、ステップＳＴ６５にて、ＲＡＭ２３の取引ＩＤ「００１」のメモリエリアに記憶されている、携帯電話機器アドレス、パスワード、パスワード生成時刻を消去する。
【００５５】
このステップＳＴ６５にて、携帯電話機器アドレス、パスワード、パスワード生成時刻を消去したとき、又はステップＳＴ６４にて、１２０分を経過していないと判断したときは、ステップＳＴ６６にて、ワークエリア「ｈ」の「００１」に１加算し「００２」とする。
【００５６】
そして、ステップＳＴ６７にて、ワークエリア「ｈ」に記憶されている「００２」が「９９９」と一致するかを判断し、「９９９」でないので、ステップＳＴ６３に戻りステップＳＴ６７までの処理を繰り返し行う。
【００５７】
ステップＳＴ６７にて、ワークエリア「ｈ」が「９９９」と判断したときはこの処理を終了し、設定された時間になると再度この処理を行う。
【００５８】
以下、携帯電話５ａを所持する顧客Ａが決済を行う場合について説明する。  顧客Ａが店舗の出入り口２から入ると、電子式キャッシュレジスタ１０の通信範囲に入り、電子式キャッシュレジスタ１０と携帯電話５ａとはBluetoothにより接続される。
【００５９】
そして、電子式キャッシュレジスタ１０により設定される取引ＩＤ及びパスワードが携帯電話５ａに送信され、携帯電話５ａの表示部４５には、図１１に示すように、取引ＩＤ「００１」及びパスワード「１９２１」が表示され、顧客Ａが視認できるようになる。
【００６０】
また、このように携帯電話５ｂ〜５ｅを所持する他の顧客も店舗１内に入るとそれぞれの携帯電話の表示部に取引ＩＤ及びパスワードが表示される。
【００６１】
そして、顧客Ａが購入する商品を決め、清算するために業務スペース４まで商品を持っていき電子式キャッシュレジスタ１０の前に並ぶ。このとき携帯電話５ｂを所持する顧客Ｂも購入する商品の清算するために図１に示すように電子式キャッシュレジスタ１０の前にきて顧客Ａの後ろに並ぶ。
【００６２】
オペレータは顧客Ａの購入する商品をキーボード１２及びスキャナ１３を使用して商品情報を読み取っていく。このとき顧客Ａが携帯電話５ａを使用した決済を希望すると、オペレータは顧客Ａを促してキーパッド１７に取引ＩＤ及びパスワードを入力させる。顧客Ａはオペレータに促されてキーパッド１７を使用して取引ＩＤ「００１」を入力し、続いて、パスワード「１９２１」を入力する。
【００６３】
この入力された取引ＩＤ「００１」及びパスワード「１９２１」と電子式キャッシュレジスタ１０のＲＡＭ２３のメモリエリアに記憶されている取引ＩＤ「００１」とパスワード「１９２１」が一致するので、電子式キャッシュレジスタ１０は取引ＩＤのメモリエリアに記憶されている携帯電話機器アドレスにより携帯電話５ａを特定し、携帯電話５ａからカード情報４３ｂを取得し金融機関のホストコンピュータに問い合わせを行い決済処理が行われる。
【００６４】
そして、決済処理が行われると電子式キャッシュレジスタ１０はレシートを印字し、レシート発行口１４からレシートを発行する。オペレータはこの発行されたレシートを顧客に渡し、顧客Ａは渡されたレシートを確認して出入り口２から店舗を出る。
【００６５】
この実施の形態によると、顧客Ａが携帯電話５ａにより決済を行うとき、携帯電話５ａの表示部４５に表示された取引ＩＤ及びパスワードをキーパッド１７により入力する。そうすると、電子式キャッシュレジスタ１０においては、この入力された取引ＩＤ及びパスワードとＲＡＭ２３の取引ＩＤのメモリエリアに記憶されている取引ＩＤとパスワードとが一致するかの判断が行われ、一致する場合に取引ＩＤのメモリエリアに記憶されている携帯電話機器アドレスにより携帯電話５ａを特定されて決済処理が行われる。したがって、顧客Ａは携帯電話５ａにユニークに設定されている携帯電話番号などをオペレータに提示又は口頭で伝える必要が無いので、オペレータ、後ろに並んでいる顧客Ｂ及び回りにいる他の顧客に携帯電話５ａにユニークに設定されている携帯電話番号などが漏れることがない。
【００６６】
また、パスワードを生成したときにその生成時刻をＲＡＭ２３のメモリエリアに記憶し、生成時刻から一定時間経過後にその取引ＩＤに記憶された情報を消去することにより、一定時間が経過すると一度使用した取引ＩＤのエリアを再度使用することができるようになるので設定されている取引ＩＤ「００１」から「９９９」の枯渇を防止することができる。
【００６７】
なお、前述した実施の形態は本発明を携帯電話と電子式キャッシュレジスタとで行う決済システムに適用した場合について述べたが必ずしもこれに限定するものではなく、決済機能を持つ携帯端末と決済装置とが無線により決済を行う決済システムであれば適用できるものである。
【００６８】
また、パスワードの入力を取引ＩＤと共にキーパッド１７により入力することとしたが、取引ＩＤはキーパッド１７により入力して、パスワードを携帯電話５ａの入力部４７による入力後、Bluetoothによって電子式キャッシュレジスタ１０に送信するようにして取引ＩＤ及びパスワードが一致するか判断してもよい。
【００６９】
さらに、携帯電話５ａに記憶されている決済のために必要な決済情報は、デビッドカードによる決済を行うために必要なカード情報４３ｂとしたが、これに限らず、クレジットカードによる決済に必要なクレジットカード情報、又は、電子的な金銭情報を記憶して、そのクレジットカード情報や金銭情報を使用して決済を行うようにしても良いのは勿論である。
【００７０】
【発明の効果】
以上説明したように本発明によれば、顧客の所持する携帯端末に関するプライバシーを保護して携帯端末と決済装置とで決済を行う決済システムを提供できる。
【００７１】
また、請求項２記載の発明によれば、さらに、顧客の所持する携帯端末毎に必要な識別情報の枯渇を防止することができる。
【図面の簡単な説明】
【図１】  本発明の実施の形態における決済システム全体の構成を示す図。
【図２】  同実施の形態における電子式キャッシュレジスタの外観を示す図。
【図３】  同実施の形態における電子式キャッシュレジスタの主要な構成を示すブロック図。
【図４】  同実施の形態における携帯電話の主要な構成を示すブロック図。
【図５】  同実施の形態における電子式キャッシュレジスタの制御の流れを示す図。
【図６】  同実施の形態における携帯電話の制御の流れを示す図。
【図７】  同実施の形態における電子式キャッシュレジスタと携帯電話の接続方法を説明する図。
【図８】  同実施の形態における電子式キャッシュレジスタのメモリエリアを示す図。
【図９】  同実施の形態における決済システムの清算の流れを示す図。
【図１０】  同実施の形態におけるＲＡＭの取引ＩＤに記憶された情報を消去する制御の流れを示す図。
【図１１】  同実施の形態における携帯電話の表示例を示す図。
【符号の説明】
１…電子式キャッシュレジスタ
５ａ〜５ｅ…携帯電話
１６,４９…アンテナ
１７…キーパッド
２３…ＲＡＭ
４２ａ…携帯電話機器アドレス
４２ｂ…カード情報
４５…携帯電話の表示部
【図１】
0003822476.tif 000002
【図２】
0003822476.tif 000003
【図３】
0003822476.tif 000004
【図４】
0003822476.tif 000005
【図５】
0003822476.tif 000006
【図６】
0003822476.tif 000007
【図７】
0003822476.tif 000008
【図８】
0003822476.tif 000009
【図９】
0003822476.tif 000010
【図１０】
0003822476.tif 000011
【図１１】
0003822476.tif 000012